(57)【要約】【課題】無駄な処理を行うことなく、画像形成装置に行わせる一連の動作が完了するまでの時間を短縮化することのできる技術を提供する。【解決手段】ウィザード形式表示で各処理項目についての内容を設定するための受付画面をウィザード形式表示で表示する場合に、原稿の読取動作に係る処理項目とそれ以外の動作に係る処理項目とを含む複合機の機能については、原稿の読取動作に関連する処理項目についての受付画面が、原稿の読取動作以外の動作に関連する処理項目についての受付画面より先に表示されるように、各処理項目についての受付画面に表示順を予め設定するとともに、カスタマイズ画面Ｇでテンプレートを変更する操作（ワークフローに処理項目の追加操作や順番の変更操作）が前述の予め設定された表示順に対応しない場合には、そのユーザの操作を受け付けず、該操作を受け付けない旨の警告メッセージを出力する。【選択図】図７
2011160129.tif 000002
【特許請求の範囲】
【請求項１】
表示部と、
原稿の画像を読み取る原稿読取部による原稿の読取動作に関連する処理項目についての設定値を設定入力するための第１種受付画面と、前記原稿読取部による原稿の読取動作に関連しない処理項目についての設定値を設定入力するための第２種受付画面とを含む各受付画面のウィザード形式表示時における表示順につき、前記第１種受付画面が前記第２種受付画面より前記表示順の表示順が上位となるように予め設定された表示順を規定表示順として予め記憶する表示順記憶部と、
前記第１種受付画面及び前記第２種受付画面を含む各受付画面のウィザード形式表示時における表示順についての設定入力を受け付ける第１の受付部と、
前記第１の受付部により受け付けられた受付画面の表示順が、前記表示順記憶部に記憶された前記規定表示順に対応したものであるか否かを判断し、前記第１の受付部により受け付けられた受付画面の表示順が、前記表示順記憶部に記憶された前記規定表示順に対応したものであると判断すると、前記第１の受付部により受け付けられた受付画面の表示順を示す情報を保持する処理を行い、前記第１の受付部により受け付けられた受付画面の表示順が、前記表示順記憶部に記憶された前記規定表示順に対応したものではないと判断すると、前記第１の受付部により受け付けられた受付画面の表示順を示す情報を保持しない判断部と、
前記第１の受付部により受け付けられた受付画面の表示順が、前記表示順記憶部に記憶された前記規定表示順に対応したものではないと前記判断部により判断されると、前記第１の受付部により受け付けられた受付画面の表示順を拒絶する旨の報知を行う報知部と、
前記判断部により保持された前記各受付画面の表示順に従って、前記各受付画面をウィザード形式表示で表示部に表示させる表示制御部と
を備える操作装置。
【請求項２】
表示部と、
原稿の画像を読み取る原稿読取部による原稿の読取動作に関連する処理項目についての設定値を設定入力するための第１種受付画面と、前記原稿読取部による原稿の読取動作に関連しない処理項目についての設定値を設定入力するための第２種受付画面とを含む各受付画面のウィザード形式表示時における表示順につき、前記第１種受付画面が前記第２種受付画面より前記表示順の表示順が上位となるように予め設定された表示順を規定表示順として予め記憶する表示順記憶部と、
前記第１種受付画面及び前記第２種受付画面を含む各受付画面のウィザード形式表示時における表示順についての設定入力を受け付ける第１の受付部と、
前記第１の受付部により受け付けられた受付画面の表示順が、前記表示順記憶部に記憶された前記規定表示順に対応したものであるか否かを判断し、前記第１の受付部により受け付けられた受付画面の表示順が、前記表示順記憶部に記憶された前記規定表示順に対応したものであると前記判断部により判断すると、前記第１の受付部により受け付けられた受付画面の表示順を示す情報を保持する処理を行い、前記第１の受付部により受け付けられた受付画面の表示順が、前記表示順記憶部に記憶された前記規定表示順に対応したものではないと判断すると、前記第１の受付部により受け付けられた受付画面の表示順は適切ではない旨の報知を行うとともに、前記表示順についての再設定入力の要否指示を受け付け、前記再設定入力が不要である旨の入力が行われたときには、前記第１の受付部により受け付けられた受付画面の表示順を示す情報を保持する処理を行い、前記再設定入力が必要である旨の入力が行われたときには、前記再設定入力を前記第１の受付部に受け付けさせる判断部と、
前記判断部により保持された前記各受付画面の表示順に従って、前記各受付画面をウィザード形式表示で表示部に表示させる表示制御部と
を備える操作装置。
【請求項３】
表示部と、
原稿の画像を読み取る原稿読取部による原稿の読取動作に関連する処理項目についての設定値を設定入力するための第１種受付画面と、前記原稿読取部による原稿の読取動作に関連しない処理項目についての設定値を設定入力するための第２種受付画面とを含む各受付画面のウィザード形式表示時における表示順につき、前記第１種受付画面が前記第２種受付画面より前記表示順の表示順が上位となるように予め設定された表示順を規定表示順として予め記憶する表示順記憶部と、
前記第１種受付画面及び前記第２種受付画面を含む各受付画面のウィザード形式表示時における表示順についての設定入力を受け付ける第１の受付部と、
前記第１の受付部により受け付けられた受付画面の表示順が、前記表示順記憶部に記憶された前記規定表示順に対応したものであるか否かを判断し、前記第１の受付部により受け付けられた受付画面の表示順が、前記表示順記憶部に記憶された前記規定表示順に対応したものであると判断すると、前記第１の受付部により受け付けられた受付画面の表示順を示す情報を保持する処理を行い、前記第１の受付部により受け付けられた受付画面の表示順が、前記表示順記憶部に記憶された前記規定表示順に対応したものではないと判断すると、前記第１の受付部により受け付けられた受付画面の表示順は適切ではない旨の報知を行うとともに、前記第１の受付部により受け付けられた受付画面の表示順を、前記表示順記憶部に記憶された前記規定表示順に対応したものとなるように変更する処理を行う判断部と、
前記判断部により保持された前記各受付画面の表示順、又は、前記判断部により変更された前記各受付画面の表示順に従って、前記各受付画面をウィザード形式表示で表示部に表示させる表示制御部と
を備える操作装置。
【請求項４】
請求項１乃至３の何れか一項に記載の操作装置と、
前記表示制御部の制御により前記表示部にウィザード形式表示で表示される前記各受付画面を用いた設定値の設定入力を受け付ける第２の受付部と、
前記原稿読取部による原稿の読取動作に関連する処理項目全てについて前記設定値の設定入力が前記第２の受付部により受け付けられた時点で、前記原稿の読取動作を前記原稿読取部に先行開始させる読取制御部と
を備える画像形成装置。
【発明の詳細な説明】
【技術分野】
【０００１】
本発明は、画像形成装置で実行可能な機能についての各設定を当該画像形成装置に記憶させる際の技術に関する。
【背景技術】
【０００２】
従来から、画像形成装置では、コピー動作時に適用する用紙サイズ、倍率、濃度、集約印刷、原稿画質を設定する際などのユーザによる機能実行時の操作性を向上させるために、その表示部にウィザード形式表示（ユーザ対話形式）での機能設定画面（受付画面）を表示させるものが知られている。これによれば、ユーザは、表示部に順次切換表示される各画面による案内に従えば、コピー動作に適用する設定の内容をワークフローとして、従来よりも簡単に画像形成装置に登録することが可能である。
【０００３】
下記特許文献１には、この種の装置において、「読み取りモードが確定する前に、基本モードで画像の読み取りを行う。そして、読み取り開始後に、設定される読み取りモードにおいて、基本モードではない応用モードが指定され、最終的な読み取りモードとして確定した場合には、基本モードで読み取った画像データを応用モードで読み取った画像データに変換する。（［００５５］）」と記載されている。
【先行技術文献】
【特許文献】
【０００４】
【特許文献１】特開２０００−３２４２７５号公報
【発明の概要】
【発明が解決しようとする課題】
【０００５】
前記特許文献１は、基本モードが使用される場合には特段問題は生じない。しかしながら、前記特許文献１の技術においては、ユーザがアレンジした応用モードが使用される場合であっても、予め記憶しておいた初期値（基本モードの設定値）で原稿読込を行うため、この基本モードで読み込んだ原稿データが不要になったり、基本モードで読み取った画像データを応用モードで読み取った場合の画像データに変換する処理を余分に行うなどの無駄が生じたりして、余計な処理時間がかかるという事態が起こりうる。
【０００６】
本発明は、このような事情に鑑みて為された発明であり、無駄な処理を行うことなく、画像形成装置に行わせる一連の動作が完了するまでの時間を短縮化することのできる技術を提供することを目的とする。
【課題を解決するための手段】
【０００７】
請求項１に記載の発明は、
表示部と、
原稿の画像を読み取る原稿読取部による原稿の読取動作に関連する処理項目についての設定値を設定入力するための第１種受付画面と、前記原稿読取部による原稿の読取動作に関連しない処理項目についての設定値を設定入力するための第２種受付画面とを含む各受付画面のウィザード形式表示時における表示順につき、前記第１種受付画面が前記第２種受付画面より前記表示順の表示順が上位となるように予め設定された表示順を規定表示順として予め記憶する表示順記憶部と、
前記第１種受付画面及び前記第２種受付画面を含む各受付画面のウィザード形式表示時における表示順についての設定入力を受け付ける第１の受付部と、
前記第１の受付部により受け付けられた受付画面の表示順が、前記表示順記憶部に記憶された前記規定表示順に対応したものであるか否かを判断し、前記第１の受付部により受け付けられた受付画面の表示順が、前記表示順記憶部に記憶された前記規定表示順に対応したものであると判断すると、前記第１の受付部により受け付けられた受付画面の表示順を示す情報を保持する処理を行い、前記第１の受付部により受け付けられた受付画面の表示順が、前記表示順記憶部に記憶された前記規定表示順に対応したものではないと判断すると、前記第１の受付部により受け付けられた受付画面の表示順を示す情報を保持しない判断部と、
前記第１の受付部により受け付けられた受付画面の表示順が、前記表示順記憶部に記憶された前記規定表示順に対応したものではないと前記判断部により判断されると、前記第１の受付部により受け付けられた受付画面の表示順を拒絶する旨の報知を行う報知部と、
前記判断部により保持された前記各受付画面の表示順に従って、前記各受付画面をウィザード形式表示で表示部に表示させる表示制御部と
を備える操作装置である。
【０００８】
この発明によれば、前記第１の受付部により受け付けられた受付画面の表示順が、前記表示順記憶部に記憶された各受付画面の表示順に対応したものではないと判断部が判断すると、前記第１の受付部により受け付けられた受付画面の表示順を保持せず、前記第１の受付部により受け付けられた受付画面の表示順を拒絶する旨の報知を前記判断部により行うようにしたので、前記第１の受付部により受け付けられた受付画面の表示順が、前記表示順記憶部に記憶された各受付画面の表示順に対応したものとなるまで、前記第１種受付画面及び前記第２種受付画面を含む各受付画面のウィザード形式表示時における表示順についての設定入力をユーザに行わせることになる。
【０００９】
これにより、各受付画面のウィザード形式表示時における表示順についての設定入力の設定内容が適切でないものであっても、確実に、前記表示順記憶部の記憶内容に対応した各受付画面の表示順で前記各受付画面をウィザード形式表示で表示部に表示させる状態、延いては、前記第１種受付画面を前記第２種受付画面より先に表示させる状態を作り出すことができる。
【００１０】
請求項２に記載の発明は、
表示部と、
原稿の画像を読み取る原稿読取部による原稿の読取動作に関連する処理項目についての設定値を設定入力するための第１種受付画面と、前記原稿読取部による原稿の読取動作に関連しない処理項目についての設定値を設定入力するための第２種受付画面とを含む各受付画面のウィザード形式表示時における表示順につき、前記第１種受付画面が前記第２種受付画面より前記表示順の表示順が上位となるように予め設定された表示順を規定表示順として予め記憶する表示順記憶部と、
前記第１種受付画面及び前記第２種受付画面を含む各受付画面のウィザード形式表示時における表示順についての設定入力を受け付ける第１の受付部と、
前記第１の受付部により受け付けられた受付画面の表示順が、前記表示順記憶部に記憶された前記規定表示順に対応したものであるか否かを判断し、前記第１の受付部により受け付けられた受付画面の表示順が、前記表示順記憶部に記憶された前記規定表示順に対応したものであると前記判断部により判断すると、前記第１の受付部により受け付けられた受付画面の表示順を示す情報を保持する処理を行い、前記第１の受付部により受け付けられた受付画面の表示順が、前記表示順記憶部に記憶された前記規定表示順に対応したものではないと判断すると、前記第１の受付部により受け付けられた受付画面の表示順は適切ではない旨の報知を行うとともに、前記表示順についての再設定入力の要否指示を受け付け、前記再設定入力が不要である旨の入力が行われたときには、前記第１の受付部により受け付けられた受付画面の表示順を示す情報を保持する処理を行い、前記再設定入力が必要である旨の入力が行われたときには、前記再設定入力を前記第１の受付部に受け付けさせる判断部と、
前記判断部により保持された前記各受付画面の表示順に従って、前記各受付画面をウィザード形式表示で表示部に表示させる表示制御部と
を備える操作装置である。
【００１１】
この発明によれば、前記第１の受付部により受け付けられた受付画面の表示順が、前記表示順記憶部に記憶された各受付画面の表示順に対応したものではないと判断されると、前記第１の受付部により受け付けられた受付画面の表示順は適切ではない旨の報知を行うとともに、前記表示順についての再設定入力の要否指示を受け付け、前記再設定入力が必要である旨の入力が行われたときには、前記再設定入力を前記第１の受付部に受け付けさせるようにしたので、前記表示順についての設定入力のやり直しをユーザに促すことができる。
【００１２】
これにより、前記表示順記憶部の記憶内容に対応した各受付画面の表示順で前記各受付画面をウィザード形式表示で表示部に表示させる状態、ひいては、前記第１種受付画面を前記第２種受付画面より先に表示させる状態を可及的に作り出すことができる。
【００１３】
また、前記再設定入力が不要である旨の入力が行われたときには、前記第１の受付部により受け付けられた受付画面の表示順を受け入れる処理を処理部によって行うようにしたので、ユーザの意思が尊重される。
【００１４】
請求項３に記載の発明は、
表示部と、
原稿の画像を読み取る原稿読取部による原稿の読取動作に関連する処理項目についての設定値を設定入力するための第１種受付画面と、前記原稿読取部による原稿の読取動作に関連しない処理項目についての設定値を設定入力するための第２種受付画面とを含む各受付画面のウィザード形式表示時における表示順につき、前記第１種受付画面が前記第２種受付画面より前記表示順の表示順が上位となるように予め設定された表示順を規定表示順として予め記憶する表示順記憶部と、
前記第１種受付画面及び前記第２種受付画面を含む各受付画面のウィザード形式表示時における表示順についての設定入力を受け付ける第１の受付部と、
前記第１の受付部により受け付けられた受付画面の表示順が、前記表示順記憶部に記憶された前記規定表示順に対応したものであるか否かを判断し、前記第１の受付部により受け付けられた受付画面の表示順が、前記表示順記憶部に記憶された前記規定表示順に対応したものであると判断すると、前記第１の受付部により受け付けられた受付画面の表示順を示す情報を保持する処理を行い、前記第１の受付部により受け付けられた受付画面の表示順が、前記表示順記憶部に記憶された前記規定表示順に対応したものではないと判断すると、前記第１の受付部により受け付けられた受付画面の表示順は適切ではない旨の報知を行うとともに、前記第１の受付部により受け付けられた受付画面の表示順を、前記表示順記憶部に記憶された前記規定表示順に対応したものとなるように変更する処理を行う判断部と、
前記判断部により保持された前記各受付画面の表示順、又は、前記判断部により変更された前記各受付画面の表示順に従って、前記各受付画面をウィザード形式表示で表示部に表示させる表示制御部と
を備える操作装置である。
【００１５】
この発明によれば、前記第１の受付部により受け付けられた受付画面の表示順が、前記表示順記憶部に記憶された各受付画面の表示順に対応したものではないと判断されると、前記第１の受付部により受け付けられた受付画面の表示順は適切ではない旨の報知を行うとともに、前記第１の受付部により受け付けられた受付画面の表示順を、前記表示順記憶部に記憶された各受付画面の表示順に対応したものとなるように変更する処理を行うようにしたので、確実に、前記表示順記憶部の記憶内容に対応した各受付画面の表示順で前記各受付画面をウィザード形式表示で表示部に表示させる状態、延いては、前記第１種受付画面を前記第２種受付画面より先に表示させる状態を作り出すことができる。
【００１６】
また、前記第１の受付部により受け付けられた受付画面の表示順が、前記表示順記憶部に記憶された各受付画面の表示順に対応したものではないと前記判断部により判断されると、前記第１の受付部により受け付けられた受付画面の表示順を、自動的に、前記表示順記憶部に記憶された各受付画面の表示順に対応したものとなるように変更するようにしたので、ユーザが前記受付画面の表示順の再設定入力を行う必要がなくなり、ユーザに課す作業上の負担を可及的に低減することができる。
【００１７】
請求項４に記載の発明は、
請求項１乃至３の何れか一項に記載の操作装置と、
前記表示制御部の制御により前記表示部にウィザード形式表示で表示される前記各受付画面を用いた設定値の設定入力を受け付ける第２の受付部と、
前記原稿読取部による原稿の読取動作に関連する処理項目全てについて前記設定値の設定入力が前記第２の受付部により受け付けられた時点で、前記原稿の読取動作を前記原稿読取部に先行開始させる読取制御部と
を備える画像形成装置である。
【００１８】
この発明によれば、前記原稿読取部による原稿の読取動作に関連する処理項目全てについての前記設定値の設定入力が前記第２の受付部により受け付けられた時点で、前記原稿の読取動作を前記原稿読取部に先行開始させることで、前記第１種操作画面を用いた設定値の設定入力の受け付けと、第２種操作画面を用いた設定値の設定入力の受け付けとの両方が完了してから前記原稿の読取動作を開始する場合に比して、画像形成装置がユーザにより設定入力された設定値に基づいて一連の動作をし終えるまでに要する時間を短縮化することができる。
【発明の効果】
【００１９】
本発明によれば、無駄な処理を行うことなく、画像形成装置に行わせる一連の動作が完了するまでの時間を短縮化することができる。
【図面の簡単な説明】
【００２０】
【図１】本発明に係る画像形成装置の一例である複合機の構成を示す側面概略図である。
【図２】操作部の部分拡大図である。
【図３】複合機の電気的な構成を示すブロック図である。
【図４】カスタマイズ画面の一例である。
【図５】判断部が記憶しているテーブルの一例を示す図である。
【図６】コピー機能についてのワークフロー作成及び登録時の表示部の表示画面の遷移を示す図である。
【図７】カスタマイズ画面でワークフローに処理項目を追加する操作が行われた場合の制御部による処理を示すフローチャートである。
【図８】コピー機能についてのワークフロー呼出時の表示画面の遷移を示す図である。
【図９】カスタマイズ画面でワークフローに処理項目を追加する操作が行われたときの制御部の処理の変形例を示すフローチャートである。
【図１０】カスタマイズ画面でワークフローに処理項目を追加する操作が行われたときの制御部の処理の他の変形例を示すフローチャートである。
【図１１】図１０に示すフローチャートの処理の説明図である。
【発明を実施するための形態】
【００２１】
以下、本発明に係る画像形成装置について説明する。図１は、本発明に係る画像形成装置の一例である複合機の構成を示す側面概略図である。図２は、操作部４００の部分拡大図である。
【００２２】
複合機１は、スキャナ機能、ファクシミリ機能、プリンタ機能、コピー機能等を兼ね備えている。複合機１は、本体部２００と、本体部２００の用紙搬出側、例えば左側に配設された用紙後処理部３００と、操作者が種々の操作指令等を入力するための操作部４００と、本体部２００の上部に配設された原稿読取部５００と、原稿読取部５００の上部に配設された原稿給送部６００とを備えて構成される。
【００２３】
図２にも示すように、操作部４００は、ＬＣＤ（Liquid Crystal Display）等からなる表示部４１０と、操作者から操作指示が入力される操作キー部４３０を備える。操作キー部４３０は、ヘルプキー４３１、スタートキー４３２、テンキー４３３及び機能切換キー４３４等を備える。
【００２４】
ヘルプキー４３１は、操作者から、スキャナ機能、ファクシミリ機能、プリンタ機能、コピー機能等に関する各操作方法を表示する操作案内画面（ヘルプ画面）を表示部４１０に表示させる指示を受け付けるものである。
【００２５】
スタートキー４３２は、コピー動作やスキャン動作等の各動作を開始させる指示を操作者から受け付けるキーである。テンキー４３３は、コピー部数を指定する指示等を操作者から受け付けるキーである。機能切換キー４３４は、コピー機能、送信機能（スキャナ機能、ファクシミリ機能等）、ボックス機能（後述するＨＤＤ７４内に設けられている操作者毎の記憶領域（メールボックス）に記憶されているデータを読み出してプリントする機能）等を相互に切り替える機能切換指示を操作者から受け付けるキーである。
【００２６】
表示部４１０は、ＬＣＤ（Liquid Crystal Display）等からなり、タッチパネルを組み合わせたタッチパネルユニット等を備えている。表示部４１０は、種々の受付画面を表示すると共に、操作者が表示面（表示されている操作キー）をタッチすることで種々の機能の実行指令を入力することが可能とされている。
【００２７】
ワークフローボタン４５０は、ユーザにより予め設定されている設定内容でコピー動作やスキャン動作等の機能を実行するワークフロー動作や、当該ワークフロー動作を登録、変更、又は削除する操作を行うための処理を開始させる指示の入力をユーザから受け付けるボタンである。
【００２８】
コピーボタン４５１は、コピー機能の開始指示をユーザから受け付けるためのボタンである。送信ボタン４５２は、スキャナによりドキュメントデータを読み取って、指定された相手先にメールで送信するメール送信機能の開始指示をユーザから受け付けるためのボタンである。文書ボックスボタン４５３は、スキャナによりドキュメントデータを読み取って、指定された保存先（複合機１のＨＤＤ７４内に設けられたフォルダ等）に保存する文書ボックス機能の開始指示をユーザから受け付けるためのボタンである。コピーボタン４５１、送信ボタン４５２、文書ボックスボタン４５３のいずれかがユーザにより押下操作されると、押下されたボタンに対応する機能の初期表示画面が表示部４１０に表示され、各機能の処理が開始される。
【００２９】
図１に戻り、原稿給送部６０は、原稿載置部６０１、給紙ローラ６０２、原稿搬送部６０３及び原稿排出部６０４を備え、原稿読取部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００３０】
本体部２００は、複数の給紙カセット２０１、複数の給紙ローラ２０２、転写ローラ２０３、感光体ドラム２０４、露光装置２０６、現像装置２０７、定着ローラ２０８、排出口２０９及び排出トレイ２１０等を備える。
【００３１】
感光体ドラム２０４は、矢印方向に回転しながら帯電装置（図示省略）によって一様に帯電される。露光装置２０６は、原稿読取部５００において読み取られた原稿の画像に応じて変調されたレーザ光を感光体ドラム２０４上に走査し、ドラム表面に色毎の静電潜像を形成する。現像装置２０７は、黒色の現像剤を感光体ドラム２０４に供給してトナー画像を形成する。
【００３２】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００３３】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００３４】
図３は、図１に示す複合機１の電気的な構成を示すブロック図である。図３に示すように、複合機１は、スキャナ部１１、画像処理部２１、プリンタ部３１、操作部４００、制御部５１、ネットワークＩ／Ｆ（インターフェース）部７１、ＨＤＤ（ハードディスクドライブ）７４及びファクシミリ通信部７５を備える。
【００３５】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像を画像処理部２１へ出力する。
【００３６】
画像処理部２１は、補正部２２、画像加工部２３及び画像メモリ２４を含む。画像処理部２１は、読み取られた画像を必要に応じて補正部２２及び画像加工部２３により処理する。画像処理部２１によって処理された画像は印刷用に画像メモリ２４に記憶され、又はプリンタ部３１に出力される。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００３７】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は前記の画像に対応するトナー像を形成し、転写部３４はトナー像を記録紙に転写し、定着部３５はトナー像を記録紙に定着させて画像を形成する。
【００３８】
ネットワークＩ／Ｆ部７１は、ネットワークインタフェース（10/100Base-TX）等を用い、ＬＡＮを介して外部装置との間での種々のデータの送受信を制御する。ＨＤＤ７４は、スキャナ部１１によって読み取られた画像及び当該画像に設定されている出力形式等を記憶する。
【００３９】
操作部４００は、図１及び図２に示したように表示部４１０、操作キー部４３０を備える。表示部４１０は、タッチパネル機能により各種指示の入力を受け付ける複数のキーを表示制御部５２２による制御の下で表示する。操作キー部４３０には、図２に示した機能切換キー４３４、スタートキー４３２、テンキー４３３等が設けられている。制御部５１は、前記表示部４１０及び操作キー部４３０の各キーから、操作者によって入力された指示を受け付ける。
【００４０】
また、本実施形態においては、操作部４００は、挿入位置指定操作部４４０としての機能を有する。この点については後述する。
【００４１】
ファクシミリ通信部７５は、符号化／復号化部（図示省略）、変復調部（図示省略）及びＮＣＵ（Network Control Unit）（図示省略）を含む。ファクシミリ通信部７５は、スキャナ部１１によって読み取られた原稿の画像データを、電話回線を介してファクシミリ装置等へ送信したり、ファクシミリ装置等から送信された画像データを受信したりする。符号化／復号化部は、送信する画像データを圧縮・符号化し、受信した画像データを伸長・復号化する。変復調部は、圧縮・符号化された画像データを音声信号に変調し、受信した信号（音声信号）を画像データに復調する。ＮＣＵは、送受信先となるファクシミリ装置等との電話回線による接続を制御する。
【００４２】
制御部５１は、複合機１の動作制御を司るＣＰＵと、データを一時的に保管する機能や作業領域としての機能を有するＲＡＭ（Random Access Memory）、プログラムを予め記憶するＲＯＭ、及び、前記プログラム等をＲＯＭから読み出して実行するＣＰＵを備えて構成されており、ＣＰＵとＲＡＭ及びＲＯＭとはデータバスを介してデータの授受を行うように構成されている。
【００４３】
本実施形態に係る複合機１は、当該複合機１に備えられる各処理項目についての設定内容の設定入力を受け付けるための受付画面をウィザード形式表示（ユーザ対話形式）で表示させ、表示部４１０に順次切換表示される各受付画面による案内に従って、コピー動作に適用する設定内容（設定値）の設定入力を行わせるようになっている。
【００４４】
制御部５１は、この受付画面の表示に関連する機能として、記憶部５２１、表示制御部５２２、指示受付部５２３、判断部５２４及び読取制御部５２５としての機能を有する。
【００４５】
記憶部５２１は、操作者に対する操作案内を表示するための各種データ（本実施形態では、特に、記憶部５２１は、コピー動作やスキャン動作等の機能を実行するために登録が必要な設定入力を受け付けるための受付画面を表示部４１０に表示させるための表示用データを記憶している）や、スキャナ機能、ファクシミリ機能、プリンタ機能、コピー機能等の各機能の動作状況等を表示するための画像データ（画像、文字、記号等の各データを含む）を記憶している。
【００４６】
また、記憶部５２１は、複合機１で実行可能な機能についての各処理項目の組み合わせでなるテンプレート（定型フォーム）を複数記憶する。当該テンプレートは、例えば、コピー動作等の各機能毎に、各機能で適用する部数、用紙サイズ、倍率、濃度、集約印刷、原稿画質、両面分割等の処理項目の組み合わせである。
【００４７】
テンプレートは、コピー動作等の機能を実行するために登録が必要な各設定入力をユーザに案内する処理を行うためのワークフロー、又は、コピー動作等の機能を実行する際に適用される各処理項目の設定内容（設定値）を記憶して当該各設定内容でコピー動作等の機能を実行させるワークフローに用いられる。
【００４８】
表示制御部５２２は、表示部４１０の表示動作を制御するものである。表示制御部５２２は、例えば、コピー動作やスキャン動作等の機能を実行するために登録が必要な各設定入力をユーザから受け付けるための受付画面をウィザード形式表示で表示部４１０に表示させる。
【００４９】
指示受付部５２３は、第１の受付部及び第２の受付部に相当するものであり、操作部４００に対して操作が行われたときに操作部４００から出力される操作情報を受け付けるものである。例えば、指示受付部５２３は、前記各処理項目についての受付画面が表示制御部５２２により表示されている時に、各設定内容を指定する指示（設定値を設定入力する指示）を、例えば表示部４１０に備えられるタッチパネル機能によりユーザから受け付けたり、記憶部５２１に記憶されたテンプレートの中から所望のテンプレートの選択を、例えば前記タッチパネル機能によりユーザから受け付けたりする。
【００５０】
以上の構成に加えて、本実施形態では、コピー動作やスキャン動作等の機能を実行するために登録が必要な設定入力を受け付けるための受付画面をウィザード形式表示で表示部４１０に表示させる際に、どの処理項目についての受付画面をどのような順番で表示するかを、後述するカスタマイズ画面と前述の挿入位置指定操作部４４０とを用いて設定できる（カスタマイズできる）ようになっている。図４は、前記カスタマイズ画面の一例である。
【００５１】
図４に示すカスタマイズ画面Ｇは、カスタマイズのベースとなるワークフローのテンプレートが表示される第１表示領域Ｘ１と、前記ベースのワークフローに追加可能な処理項目の受付画面を示すアイコンが羅列表示される第２表示領域Ｘ２とを有する。図４に示す第１表示領域Ｘ１には、処理項目１〜５についての各受付画面を処理項目１，２，３，４，５の順にウィザード形式表示で表示するという設定内容を初期値とするベースのワークフローのテンプレートが、処理項目１〜５の項目名がそれぞれ付された複数のアイコンＩＣ１〜ＩＣ５を用いて表示されている。また、図４に示す第２表示領域Ｘ２には、そのワークフローに追加可能な処理項目Ａ〜Ｆの項目名がそれぞれ付された複数のアイコンＩＣＡ〜ＩＣＦが表示されている。前記第１及び第２表示領域Ｘ１，Ｘ２に表示されている前記アイコンＩＣ１〜ＩＣ５，ＩＣＡ〜ＩＣＦは、当該アイコンに付された処理項目についての受付画面を示すキャラクタである。
【００５２】
前記指示受付部５２３は、前記カスタマイズ画面Ｇの表示時に、ワークフローのカスタマイズ指示を前記挿入位置指定操作部４４０から受け付ける。前記挿入位置指定操作部４４０は、例えば表示部４１０に備えられるタッチパネル機能により実現される。
【００５３】
具体的には、前記第２表示領域Ｘ２に表示されている何れかの処理項目を、前記第１表示領域Ｘ１に表示されているワークフローに追加したい場合、ユーザは、ドラッグ＆ドロップによって、追加対象の処理項目の受付画面を示すアイコンを、前記第１表示領域Ｘ１に表示されている各処理項目の受付画面を示す各アイコンの配列態様における所定の位置に挿入する操作を行う（以下、この操作を追加操作１という）。
【００５４】
例えば、現在、前記第１表示領域Ｘ１に表示されているワークフローが図４に示すものである場合において、ユーザが、この処理項目Ａ〜Ｆのうち処理項目Ａについての受付画面を前記ワークフローに追加し、この処理項目Ａについての受付画面を、処理項目２の受付画面と処理項目３の受付画面との間に表示させたいと考えているとき、ユーザは、前記第２表示領域Ｘ２に表示されている処理項目Ａの受付画面を示すアイコンＩＣＡを、前記第１表示領域Ｘ１における処理項目２の受付画面を示すアイコンＩＣ２と、処理項目３の受付画面を示すアイコンＩＣ３との間の位置を目標位置としてドラッグし、その目標位置でドロップするという操作を行う。
【００５５】
また、現在、前記第１表示領域Ｘ１に表示されているワークフローにおける処理項目の中で不要な処理項目があるとき、ユーザは、ドラッグ＆ドロップによって、その処理項目の受付画面を示すアイコンを前記第２表示領域Ｘ２に移す操作を行う（以下、この操作を削除操作２という）。
【００５６】
例えば、現在、前記第１表示領域Ｘ１に表示されているワークフローが図４に示すものである場合において、ユーザが、この処理項目１〜５の中で例えば処理項目３が不要であると考えているとき、ユーザは、前記第１表示領域Ｘ１に表示されている処理項目３の受付画面を示すアイコンＩＣ３を前記第２表示領域Ｘ２に向けてドラッグし、この第２表示領域Ｘ２内でドロップするという操作を行う。
【００５７】
さらに、前記第１表示領域Ｘ１に表示されているワークフローにおける各処理項目についての受付画面の表示順を変更する場合、ユーザは、ドラッグ＆ドロップ操作によって、変更対象の処理項目の受付画面を示すアイコンの配列順を変更する操作を行う（以下、この操作を変更操作３という）。
【００５８】
例えば、現在、前記第１表示領域Ｘ１に表示されているワークフローが図４に示すものである場合において、ユーザが、この処理項目１〜５の中で例えば処理項目２と処理項目４との順番を入れ替えたいと考えている場合、ユーザは、アイコンのドラッグ＆ドロップ操作によって、処理項目２の受付画面を示すアイコンの位置と処理項目４の受付画面を示すアイコンの位置とを入れ替える。指示受付部５２３は、以上のようなユーザによる追加操作１、削除操作２、変更操作３を示す操作情報を受け付ける。
【００５９】
判断部５２４は、前記カスタマイズ画面Ｇにおけるユーザの操作が適切なものであるか否かを判断するものである。本実施形態においては、各処理項目についての受付画面に対し、ワークフローを呼び出して各受付画面をウィザード形式表示で表示させる際の各受付画面の表示順が予め設定されており、判断部５２４は、各処理項目について、表示順情報と、原稿の読取動作を行うために設定値の設定入力が必要な処理項目（原稿の読取動作に関連する処理項目）であるか否かの情報と、後述する先行読取動作が可能であるか否かの情報とを対応付けたテーブルを予め記憶した表示順記憶部５２４１を備えている。
【００６０】
ここで、本実施形態においては、原稿の読取動作とそれ以外の動作とを含む一連の動作を実施するモード（例えばコピーモード）が選択された場合に、原稿の読取動作に関連する処理項目の内容（設定値）を設定入力するための受付画面（第１種受付画面）を、原稿の読取動作に関連の無い処理項目の内容（設定値）を設定入力するための受付画面（第２種受付画面）よりも先に表示部４１０に表示させることにより、原稿の読取動作に関連する処理項目の内容（設定値）を、該読取動作に関連の無い処理項目の内容（設定値）よりも先にユーザに設定入力させ、原稿の読取動作に関連の無い処理項目の内容（設定値）が完了していなくても、原稿の読取動作に関連する処理項目の内容（設定値）が全て完了した時点で、原稿読取部５００による読取動作（前記先行読取動作）を実施するようにしている。
【００６１】
例えば、コピーモードの場合、原稿の読取動作と、前記用紙への画像形成動作とが一連の動作として実行されることとなる。このとき、図５に示すように、原稿の読取動作に関連する処理項目としては、例えば原稿サイズや原稿読取部５００による読込濃度がある一方、画像形成動作に関連する処理項目としては、例えば用紙サイズやコピー部数がある。
【００６２】
今、複合機１が用紙の複写（コピー）を実行する場合に、ユーザが設定値を入力すべき処理項目として、前述の「原稿サイズ」，「読込濃度」，「用紙サイズ」及び「コピー部数」の４つの処理項目が定められているものとする。
【００６３】
このとき、本実施形態では、図５に示すように、原稿の読取動作に関連する処理項目の表示順が、原稿の読取動作に関連の無い処理項目の表示順よりも上位に設定されており、前記の例では、原稿の読取動作に関連する原稿サイズや読込濃度についての受付画面が、画像形成動作に関連する用紙サイズやコピー部数についての設定画面より先に表示部４１０に表示されるように表示順が設定されている。
【００６４】
そして、判断部５２４は、前記追加操作１や変更操作３が行われた場合に、前記のように設定された表示順が前記テーブルで規定されている表示順に対応するものであるか否かを判断する。例えば、判断部５２４は、処理項目Ａの受付画面を示すアイコンＩＣＡが、処理項目２の受付画面を示すアイコンＩＣ２と処理項目３の受付画面を示すアイコンＩＣ３との間の位置にドラッグ＆ドロップされた場合、受付画面の表示順（処理項目２についての受付画面→処理項目Ａについての受付画面→処理項目３についての受付画面）が、前記テーブルで規定されている表示順に沿ったものであるか否かを判断する。
【００６５】
すなわち、処理項目２が例えば「原稿サイズ」であり、処理項目３が例えば「読込濃度」であり、処理項目Ａが例えば「原稿向き」である場合には、前記ユーザによるドラッグ＆ドロップ操作によって設定される受付画面の表示順が、「原稿サイズ」についての受付画面→「原稿向き」についての受付画面→「読込濃度」についての受付画面となり、これは、前記テーブルで設定されている表示順に対応するものであるから、判断部５２４は、この場合にはユーザの操作は適切なものであると判断し、このユーザの操作内容を示す情報を保持する。
【００６６】
一方、処理項目２が例えば「原稿サイズ」であり、処理項目３が例えば「読込濃度」であり、処理項目Ａが「原稿向き」ではなく例えば「コピー倍率」である場合には、前記ユーザによるドラッグ＆ドロップ操作によって設定される受付画面の表示順が、「原稿サイズ」についての受付画面→「コピー倍率」についての受付画面→「読込濃度」についての受付画面となり、これは、前記テーブルで設定されている表示順に対応するものではない。したがって、この場合には、判断部５２４は、ユーザの操作が適切なものではないと判断し、このユーザの操作内容を示す情報を保持することなく破棄する。
【００６７】
表示制御部５２２は、前記判断部５２４によりユーザの操作が適切なものではないと判断されると、ユーザの操作を受け入れることができない旨の警告メッセージを表示部４１０に表示させる。表示制御部５２２は、報知部としての機能を有する。
【００６８】
読取制御部５２５は、原稿読取部５００による読取動作を制御するものであり、特に、本実施形態では、原稿の読取動作とそれ以外の動作とを含む機能（例えばコピー機能）を実施する場合に、ウィザード形式表示で表示される各受付画面のうち、原稿の読取動作に関連する全ての処理項目についての各受付画面で内容（設定値）の設定入力が前記指示受付部５２３によって受け付けられた時点で、全ての設定項目についての設定値の設定入力が完了していなくても、原稿読取部５００に読取動作を先行開始させる。
【００６９】
次に、複合機１におけるワークフロー作成及び登録時の処理を説明する。図６は、コピー機能についてのワークフロー作成及び登録時の表示部４１０の表示画面の遷移を示す図である。
【００７０】
複合機１の主電源がユーザによりオンとされ、例えば、コピーボタン４５１が押下操作されてコピー機能が開始されるとき、表示制御部５２２は、表示部４１０に、図略の初期画面を表示させる。
【００７１】
この初期画面の表示時に、操作部４００のワークフローボタン４５０がユーザにより押下され、指示受付部５２３に、ワークフローの開始指示が受け付けられると、表示制御部５２２は、ワークフロー画面４１０１（図６）を表示させる。これにより、ワークフローの作成及び登録、削除の操作の開始が可能となる。表示制御部５２２は、ワークフロー画面４１０１に、ユーザからワークフローの新規登録及び削除を受け付けるための新規登録／削除ボタン４１０１ｇを表示させる。
【００７２】
なお、前記初期画面の表示時に、ワークフローボタン４５０がユーザにより押下されず、（ワークフローの開始指示が受け付けられず）、前記初期画面においてユーザにより指定された用紙選択や倍率等の設定内容、又は既に設定済みの設定内容で、スタートキー４３２やテンキー４３３等の押下操作が行われてコピー動作の実行指示が入力された場合は、当該押下操作に従って、通常通りのコピー動作等が実行される。
【００７３】
一方、前記表示制御部５２２によるワークフロー画面４１０１の表示中に、ユーザにより新規登録／削除ボタン４１０１ｇが押下されると、表示制御部５２２は、ワークフローの新規登録又は削除のいずれを行うかの選択指示をユーザに対して促すワークフロー登録／削除画面４１０２（図６）を表示部４１０に表示させる。
【００７４】
ワークフロー登録／削除画面４１０２には、ユーザからワークフローの新規登録指示を受け付けるための新規登録ボタン４１０２ａと、ユーザからワークフローの削除指示を受け付けるための削除ボタン４１０２ｂとが表示される。削除ボタン４１０２ｂが押下された場合の処理等の説明については省略する。
【００７５】
ワークフロー登録／削除画面４１０２の表示時に、ユーザにより新規登録ボタン４１０２ａが押下されて、タッチパネル機能により指示受付部５２３にワークフローの新規登録指示が受け付けられると、表示制御部５２２は、表示部４１０に、ワークフローの作成に用いるテンプレートの選択を促すテンプレート選択画面４１０４（図６）を表示部４１０に表示させる。このテンプレート選択画面４１０４には、ワークフローの作成に用いることが可能な各テンプレートを示す画像Ｔ１〜Ｔ６が表示される。
【００７６】
このテンプレート選択画面４１０４の表示時に、ユーザにより、テンプレートを示す画像Ｔ１〜Ｔ６のいずれかが押下されて、タッチパネル機能により、指示受付部５２３に、ワークフローの作成に用いるウィザード表示形式用のテンプレートの選択が受け付けられると、表示制御部５２２は、当該選択されたテンプレートを記憶部５２１から読み出し、当該読み出したテンプレートが示すワークフローのカスタマイズ画面Ｇ（図４参照）を表示部４１０に表示する。
【００７７】
ここで、前記カスタマイズ画面Ｇでの操作時における制御部５１の処理を説明する。図７は、前記カスタマイズ画面Ｇでワークフローに処理項目を追加する操作が行われた場合の制御部５１による処理を示すフローチャートである。
【００７８】
図７に示すように、前記カスタマイズ画面Ｇにおける前記第２表示領域Ｘ２に表示されたいずれかの処理項目の受付画面を示すアイコンが選択され（ステップ♯１でＹＥＳ）、そのアイコンが前記第１表示領域Ｘ１の所望の位置にドラッグ＆ドロップされることにより前記処理項目の受付画面を示すアイコンの挿入位置が指定されると（ステップ♯２でＹＥＳ）、判断部５２４は、図４に示すテーブルに基づき前記挿入位置は適切であるか否か（挿入操作が行われたアイコンが示す受付画面を前記挿入位置に相当する表示順位に設定した場合に各受付画面の表示順が図４に示すテーブルに規定された表示順に沿ったものであるか否か）を判断する（ステップ♯３）。
【００７９】
その結果、判断部５２４は、前記挿入位置は適切ではないと判断すると（ステップ♯３でＮＯ）、表示制御部５２２は、ユーザの操作は受け入れることができない旨の警告メッセージを表示部４１０に表示させる（ステップ♯４）。
【００８０】
一方、判断部５２４は、前記挿入位置は適切であると判断すると（ステップ♯３でＹＥＳ）、このユーザの操作内容を示す操作情報を保持する（ステップ♯５）。
【００８１】
図４に戻り、前記カスタマイズ画面Ｇにおける「ＯＫ」ボタンＢ１が操作されることにより該カスタマイズ画面Ｇを用いたカスタマイズ操作に対する受付処理を完了すると、表示部４１０に、この作成されたワークフローの名称の入力画面４１０７を表示させる。この入力画面４１０７には、キーボード画像４１０７ａ等が表示され、ユーザが当該キーボード画像を押下することでタッチパネル機能により、ユーザからのワークフロー名の入力が可能とされている。
【００８２】
前記入力画面４１０７の操作により、ユーザからワークフロー名が入力されると、表示制御部５２２は、前記カスタマイズ画面Ｇで受け付けられた前記処理項目を並べて一覧表示した画像４１０８ａと、当該一覧表示した各処理項目で登録する指示を受け付けるための登録ボタン４１０８ｂと、当該一覧表示した各設定の内容を変更する指示を受け付けるための設定変更ボタン４１０８ｃとを有する確認画面４１０８を表示部４１０に表示させる。
【００８３】
この確認画面４１０８の表示時に、ユーザにより登録ボタン４１０８ｂが押下され、指示受付部５２３に、一覧表示した各設定の内容で登録する指示が受け付けられると、制御部５１は、カスタマイズされたテンプレートとを記憶部５２１に記憶させる。なお、この後、表示制御部５２２は、表示部４１０に、登録完了をユーザに対して報知する登録完了画面４１０９を表示させる。
【００８４】
また、前記確認画面４１０８の表示時に、ユーザにより設定変更ボタン４１０８ｃが押下され、指示受付部５２３に、当該一覧表示した各設定の内容を変更する設定変更指示が受け付けられると、表示制御部５２２は、指示受付部５２３で受け付けられたテンプレートが示すワークフローのカスタマイズ画面を再び表示部４１０に順次表示する処理に戻る。
【００８５】
次に、複合機１におけるワークフロー呼出時の処理を説明する。図８は、コピー機能についてのワークフロー呼出時の表示画面の遷移を示す図である。
【００８６】
複合機１の主電源がユーザによりオンとされたとき、表示制御部５２２は、表示部４１０に予め定められた図略の初期画面を表示させる。
【００８７】
この初期画面の表示時に、操作部４００のワークフローボタン４５０がユーザにより押下され、指示受付部５２３に、ワークフローの開始指示が受け付けられると、表示制御部５２２は、ワークフロー画面４１０１（図８）を表示させる。ワークフロー画面４１０１には、記憶部５２１に記憶（登録）されている各ワークフローを示すワークフロー画像４１０１ａ〜４１０１ｆが表示される。
【００８８】
ワークフロー画面４１０１の表示時に、ワークフロー画面４１０１内に表示されているワークフロー画像４１０１ａ〜４１０１ｆのいずれかがユーザによって押下され、複合機１が備える機能（例えばコピー動作等）の実行について適用するワークフローを選択するワークフロー選択指示がユーザから受け付けられると、表示制御部５２２は、この選択されたワークフローを記憶部５２１から読み出し、この読み出したワークフローが示す機能の各設定（例えば、コピー機能の場合、原稿サイズ、部数、用紙サイズ、倍率、濃度、集約印刷、原稿画質、両面分割等）についてのそれぞれの受付画面（例えば、図８に示す受付画面４１０５）を順次表示部４１０に表示する。
【００８９】
そして、当該受付画面上に表示した操作ボタン又はテンキー４３３等のユーザによる操作に基づいて、タッチパネル機能により、当該受付画面で案内している処理項目についての内容指定（例えば、前記部数の具体数等）を受け付けた場合は、設定内容をその指示された内容（設定値）に設定する。
【００９０】
表示制御部５２２は、前記読み出したテンプレートが示す機能における全ての処理項目の受付画面を表示するまで、当該受付画面の表示処理及び設定内容の受付処理を繰り返す。そして、原稿の読取動作に関連する処理項目の受付画面での設定内容の受付処理が完了すると、読取制御部５２５は、その時点から原稿の読取動作を原稿読取部５００に開始させる。
【００９１】
その後、全ての処理項目についての受付画面の表示処理及び設定内容の受付処理が完了すると、表示部４１０に、この時点で受け付けられている設定内容を並べて一覧表示した画像と、当該一覧表示した各設定の内容で機能を実行する機能実行指示を受け付けるための機能実行ボタン（図８の４１１０ｂ)と、当該一覧表示した各設定の内容を変更する指示を受け付けるための（図８の設定変更ボタン４１１０ｃ）とを有する確認画面４１１０を表示部４１０に表示させる。そして、機能実行ボタン４１１０ｂが押下され、指示受付部５２３に、一覧表示した各設定の内容で機能を実行する指示が受け付けられると、制御部５１は、当該一覧表示されている各設定の内容で機能（コピー動作等）を実行させる。
【００９２】
以上のように、本実施形態では、ウィザード形式表示で各処理項目についての内容を設定するための受付画面をウィザード形式表示で表示する場合に、原稿の読取動作に係る処理項目とそれ以外の動作に係る処理項目とを含む複合機１の機能については、原稿の読取動作に関連する処理項目についての受付画面が、原稿の読取動作以外の動作に関連する処理項目についての受付画面より先に表示されるように、各処理項目についての受付画面に表示順を予め設定するとともに、前記カスタマイズ画面Ｇでテンプレートを変更する操作（ワークフローに処理項目を追加したり順番を変更したりする操作）が、前述の予め設定された表示順に対応しない場合には、そのユーザの操作を受け付けず、ユーザの操作を受け付けない旨の警告メッセージを出力するようにしたので、ユーザによって不適切な操作が行われた場合であっても、確実に、原稿の読取動作に係る処理項目の内容（設定値）の設定入力を、原稿の読取動作以外の動作に関連する処理項目の内容（設定値）の設定入力より先にユーザに行わせる状態を作り出すことができる。
【００９３】
その結果、原稿の読取動作に係る処理項目についての受付画面で内容の設定が完了した時点で原稿の読取動作を開始することにより、原稿の読取動作以外の動作に係る処理項目の内容の設定入力と並行して原稿の読取動作を行うことができ、全ての処理項目の内容が入力されてから、原稿の読取動作とそれ以外の動作とを行う場合に比して、複合機１による一連の処理が完了するまでの時間を短縮化することができる。
【００９４】
なお、本発明は、前記実施形態に代えて、又は前記実施形態に加えて次のような変形形態が採用可能である。
【００９５】
（１）前記実施形態においては、前記カスタマイズ画面において不適切な操作が行われると、その操作を受け入れず、該操作が受け入れられない旨の警告メッセージを表示部４１０に表示するようにしたが、前記カスタマイズ画面Ｇにおいて不適切な操作が行われた場合の処理としては、前述のものの他、次のような処理も採用可能である。
【００９６】
図９は、前記カスタマイズ画面Ｇでワークフローに処理項目を追加する操作が行われたときの制御部５１の処理の変形例を示すフローチャートである。
【００９７】
図９に示すように、前記カスタマイズ画面Ｇにおける前記第２表示領域Ｘ２に表示されたいずれかの処理項目の受付画面を示すアイコンがユーザにより選択され（ステップ♯１１でＹＥＳ）、そのアイコンが前記第１表示領域Ｘ１の所望の位置にドラッグ＆ドロップされることにより前記処理項目の受付画面の挿入位置が指定されると（ステップ♯１２でＹＥＳ）、判断部５２４は、図５に示すテーブルに基づき前記挿入位置は適切であるか否か（挿入操作が行われたアイコンが示す受付画面を前記挿入位置に相当する表示順位に設定した場合に各受付画面の表示順が図４に示すテーブルに規定された表示順に沿ったものであるか否か）を判断する（ステップ♯１３）。
【００９８】
その結果、判断部５２４は、前記挿入位置は適切であると判断すると（ステップ♯１３でＹＥＳ）、このユーザの操作内容を示す操作情報を保持し、表示制御部５２２は、指定された挿入位置に操作対象の処理項目のアイコンを挿入した状態の画像を表示する（ステップ♯１６）。
【００９９】
一方、判断部５２４は、前記挿入位置は適切ではないと判断すると（ステップ♯１３でＮＯ）、表示制御部５２２は、警告メッセージ及びガイダンスを表示部４１０に表示させる（ステップ♯１４）。ここで表示する警告メッセージは、前記第１の実施形態のようにユーザの操作が受け入れられない旨を示すものではなく、操作対象のアイコンの挿入位置が不適切である旨を示すものであり、また、前記ガイダンスは、適切な挿入位置を示すものである。表示制御部５２２は、前記警告メッセージやガイダンスとともに、挿入位置を再指定（変更）するか否かをユーザに選択させるためのボタン表示を行う（ステップ♯１５）。
【０１００】
前記挿入位置を再指定する旨の入力が行われた場合には（ステップ♯１５でＹＥＳ）、制御部５１は、ステップ♯１２の処理に戻る一方、前記挿入位置を再指定しない旨の入力が行われた場合には（ステップ♯１５でＮＯ）、ステップ♯１６の処理を行う。
【０１０１】
このように、本実施形態では、不適切な操作が行われた場合であってもその操作を受け付けないようにするのではなく、不適切である旨を報知して、前記表示順についての設定入力のやり直しをユーザに促すようにしたので、ユーザの意思を尊重しつつ、できるだけ、前記記憶部５２１の記憶内容に対応した各受付画面の表示順で前記各受付画面をウィザード形式表示により表示させることができ、ひいては、できるだけ、原稿の読取動作に関連する処理項目の受付画面を、原稿の読取動作以外の動作に関連する処理項目の受付画面より先に表示させる状態を作り出すことができる。
【０１０２】
その結果、原稿の読取動作に係る処理項目についての受付画面で内容の設定が完了した時点で原稿の読取動作を開始することにより、原稿の読取動作以外の動作に係る処理項目の内容の設定入力と並行して原稿の読取動作を行うことができ、全ての処理項目の内容が入力されてから、原稿の読取動作とそれ以外の動作とを行う場合に比して、複合機１による一連の処理が完了するまでの時間を短縮化することができる。
【０１０３】
この実施形態の他、次のような処理も採用可能である。図１０は、前記カスタマイズ画面Ｇでワークフローに処理項目を追加する操作が行われたときの制御部５１の処理の他の変形例を示すフローチャートである。
【０１０４】
図１０に示すように、前記カスタマイズ画面Ｇにおける前記第２表示領域Ｘ２に表示されたいずれかの処理項目の受付画面を示すアイコンが選択され（ステップ♯２１でＹＥＳ）、そのアイコンが前記第１表示領域Ｘ１の所望の位置にドラッグ＆ドロップされることにより前記処理項目の受付画面の挿入位置が指定されると（ステップ♯２２でＹＥＳ）、判断部５２４は、図４に示すテーブルに基づき前記挿入位置は適切であるか否か（挿入操作が行われたアイコンが示す受付画面を前記挿入位置に相当する表示順位に設定した場合に各受付画面の表示順が図４に示すテーブルに規定された表示順に沿ったものであるか否か）を判断する（ステップ♯２３）。
【０１０５】
その結果、判断部５２４は、前記挿入位置は適切であると判断すると（ステップ♯２３でＹＥＳ）、このユーザの操作内容を示す操作情報を保持し、表示制御部５２２は、指定された挿入位置に操作対象であるアイコンを挿入した状態の画像を表示する（ステップ♯２５）。
【０１０６】
一方、判断部５２４は、前記挿入位置は適切ではないと判断すると（ステップ♯２３でＮＯ）、表示制御部５２２は、記憶しているテーブルに規定された表示順にしたがって、操作対象のアイコンの挿入位置を適切な位置に変更し、表示制御部５２２は、操作対象のアイコンの挿入位置を変更した旨のメッセージを表示部４１０に表示させる（ステップ♯２４）。
【０１０７】
すなわち、カスタマイズ画面Ｇでワークフローのカスタマイズを行う前の各受付画面の表示順が、図１１（ａ）に示すように、原稿の読取動作に関連する処理項目１の受付画面→原稿の読取動作に関連する処理項目２の受付画面→印刷動作に関連する処理項目１の受付画面→印刷動作に関連する処理項目２の受付画面→印刷動作に関連する処理項目３の受付画面であったとする。
【０１０８】
この場合において、ユーザが、原稿の読取動作に関連する処理項目３の受付画面を、例えば図１１（ｂ）に示すように、印刷動作に関連する処理項目２の受付画面と、印刷動作に関連する処理項目３の受付画面との間に挿入する形で、前記ワークフローに追加しようとしたとする。
【０１０９】
そして、判断部５２４が記憶しているテーブルには、前述したように原稿の読取動作に関連する処理項目の表示順が、原稿の読取動作に関連の無い処理項目の表示順よりも上位に設定されており、且つ、原稿の読取動作に関連する処理項目３の受付画面は、原稿読取動作に関連する処理項目２の受付画面より表示順が後に設定されている場合、判断部５２４は、図１１（ｃ）に示すように、原稿の読取動作に関連する処理項目３の受付画面を、原稿の読取動作に関連する処理項目２の受付画面と、印刷動作に関連する処理項目１の受付画面との間に挿入すべきであると判断し、そのように挿入した状態のワークフローを保持する。
【０１１０】
また、表示制御部５２２は、原稿の読取動作に関連する処理項目３の受付画面を、例えば図１１（ｂ）に示すように、印刷動作に関連する処理項目２の受付画面と、印刷動作に関連する処理項目３の受付画面との間に挿入した状態を示す画像を表示する。
【０１１１】
このように、本実施形態では、不適切な操作が行われた場合に、その操作を拒絶するだけでなく、操作対象のアイコンが示す受付画面の挿入位置を複合機１側で（自動的に）変更して、確実に、原稿の読取動作が他の動作（該読取動作以外の動作）に先立って実施されるように構成したものである。
【０１１２】
これにより、原稿の読取動作に係る処理項目についての受付画面で内容（設定値）の設定が完了した時点で原稿の読取動作を開始することにより、原稿の読取動作以外の動作に係る処理項目の内容の設定入力と並行して原稿の読取動作を行うことができ、全ての処理項目の内容が入力されてから、原稿の読取動作とそれ以外の動作とを行う場合に比して、複合機１による一連の処理が完了するまでの時間を短縮化することができるとともに、ユーザが前記受付画面の表示順の再設定入力を行う必要がなくなり、ユーザに課す作業上の負担を可及的に低減することができる。
【０１１３】
なお、本発明は前記実施の形態の構成に限られず種々の変形が可能である。前記図１乃至図１１に示した構成及び処理は、本発明の実施形態の例示に過ぎず、本発明を前記実施形態に限定する趣旨ではない。
【０１１４】
また、例えば、前記各実施形態では、本発明に係る電気機器の一例を画像形成装置としての複合機１として説明したが、本発明に係る電気機器は複合機に限られず、他の画像形成装置（コピー機、ファクシミリ装置、スキャナ装置、プリンタ等）であっても構わない。
【符号の説明】
【０１１５】
１      複合機
５１    制御部
５２１  記憶部
５２２  表示制御部
５２３  指示受付部
５２４  判断部
５２４１  表示順記憶部
４４０  挿入位置指定操作部
５００  原稿読取部
【図１】
2011160129.tif 000003
【図２】
2011160129.tif 000004
【図３】
2011160129.tif 000005
【図４】
2011160129.tif 000006
【図５】
2011160129.tif 000007
【図６】
2011160129.tif 000008
【図７】
2011160129.tif 000009
【図８】
2011160129.tif 000010
【図９】
2011160129.tif 000011
【図１０】
2011160129.tif 000012
【図１１】
2011160129.tif 000013